(57)【要約】【課題】コピーサーバー内部に蓄積されている画像データをクライアント側で表示する場合に、コピーの解像度で蓄積されている画像データをそのままクライアント側に転送すると、データ量が大きいため転送時間が増大する。【解決手段】コピーサーバー機能を持つ画像入出力装置１１と、当該画像入出力装置１１に対してネットワーク１３を介して接続された端末装置１２とを有する画像処理システムにおいて、画像入出力装置１１から端末装置１２へ、原稿から読み取ったオリジナル画像データそのものではなく、当該オリジナル画像データを縮小処理した画像データを転送することで、転送するデータ量を少なくして転送時間を短縮するとともに、端末装置側では縮小処理を行わなくても済むようにしてスループットの向上を図る。【選択図】図１
2005086602.tif 000002
【特許請求の範囲】
【請求項１】
原稿画像を読み取って入力する画像入力部および当該画像入力部で読み取った前記原稿画像を印刷出力する画像出力部を有し、前記画像入力部から入力される第１の画像データと当該第１の画像データを縮小処理して得た第２の画像データと画像処理パラメータと画像管理情報とを関連付けて保存し、前記原稿画像を再印刷することが可能な画像入出力装置と、
前記画像入出力装置とネットワークを介して接続され、前記画像入出力装置から前記第２の画像データ、前記画像処理パラメータおよび前記画像管理情報が送信される端末装置とを備えた画像処理システムであって、
前記端末装置は、
前記画像入出力装置から入力される前記第２の画像データ、前記画像処理パラメータおよび前記画像管理情報を関連付けて管理する管理手段と、
前記管理手段によって管理される前記第２の画像データに対して前記管理手段によって管理される前記画像処理パラメータに基づく画像処理を行う画像処理手段と、
前記画像処理手段によって画像処理された前記第２の画像データおよび前記管理手段によって管理される前記画像管理情報のうち少なくとも一つを一覧表示する表示手段とを有する
ことを特徴とする画像処理システム。
【請求項２】
前記端末装置に入力される前記第２の画像データは、前記画像入出力装置において前記画像処理パラメータに基づく画像処理が施される前の画像データである
ことを特徴とする請求項１記載の画像処理システム。
【請求項３】
前記端末装置に入力される前記第２の画像データは、前記画像入力部および前記画像出力部の特性に依存しない中間フォーマットである
ことを特徴とする請求項１記載の画像処理システム。
【請求項４】
前記端末装置は、前記管理手段によって管理される前記画像処理パラメータを変更する変更手段をさらに有し、
前記画像処理手段は、前記第２の画像データに対して前記変更手段によって変更された前記画像処理パラメータに基づく画像処理を施し、当該画像処理後の前記第２の画像データに基づく画像を前記表示手段に再表示させる
ことを特徴とする請求項１記載の画像処理システム。
【請求項５】
前記端末装置は、前記画像入出力装置での再印刷時に、前記変更手段によって変更された前記画像処理パラメータを前記画像管理情報と共に前記画像入出力装置に送信し、
前記画像入出力装置は、前記端末装置から送信された前記画像管理情報に対応する前記第１の画像データに対して前記端末装置から送信された前記画像処理パラメータに基づく画像処理を行う
ことを特徴とする請求項４記載の画像処理システム。
【請求項６】
原稿画像を読み取って入力する画像入力部および当該画像入力部で読み取った前記原稿画像を印刷出力する画像出力部を有し、前記画像入力部から入力される第１の画像データと当該第１の画像データを縮小処理して得た第２の画像データと画像処理パラメータと画像管理情報とを関連付けて保存し、前記原稿画像を再印刷することが可能な画像入出力装置と、
前記画像入出力装置とネットワークを介して接続された端末装置とを備えた画像処理システムにおける画像処理方法であって、
前記画像入出力装置から前記端末装置へ、前記第２の画像データ、前記画像処理パラメータおよび前記画像管理情報を送信する
ことを特徴とする画像処理方法。
【請求項７】
前記画像入出力装置から前記端末装置に送信する前記第２の画像データは、前記画像入出力装置において前記画像処理パラメータに基づく画像処理が施される前の画像データである
ことを特徴とする請求項６記載の画像処理方法。
【請求項８】
前記画像入出力装置から前記端末装置に送信する前記第２の画像データは、前記画像入力部および前記画像出力部の特性に依存しない中間フォーマットである
ことを特徴とする請求項６記載の画像処理方法。
【請求項９】
前記端末装置では、前記画像入出力装置から送信される前記第２の画像データ、前記画像処理パラメータおよび前記画像管理情報を関連付けて管理するとともに、前記第２の画像データに対して前記画像処理パラメータに基づく画像処理を施して、前記第２の画像データおよび前記画像管理情報のうち少なくとも一つを一覧表示する
ことを特徴とする請求項６記載の画像処理方法。
【請求項１０】
前記端末装置側では、前記画像入出力装置から送信される前記画像処理パラメータを変更可能である
ことを特徴とする請求項６記載の画像処理方法。
【請求項１１】
前記端末装置から前記画像入出力装置へは、変更後の前記画像処理パラメータと前記画像管理情報とを送信する
ことを特徴とする請求項１０記載の画像処理方法。
【発明の詳細な説明】
【技術分野】
【０００１】
本発明は、画像処理システムおよび画像処理方法に関し、特に原稿画像を読み取って入力する画像入力部および当該画像入力部で読み取った原稿画像を印刷出力する画像出力部を有する画像入出力装置と、当該画像入出力装置とネットワークを介して接続された端末装置とを備えた画像処理システムおよび当該画像処理システムにおける画像処理方法に関する。
【背景技術】
【０００２】
画像処理装置、例えばスキャナ機能および印刷機能を少なくとも持つデジタル複合機におけるサービスの一つとしてコピーサーバー機能がある（例えば、特許文献１参照）。このコピーサーバー機能は、原稿から読み取った画像を、複写すると同時に複写時の設定なども含めて記憶装置に保存（格納）しておくことで、後に元原稿なしでも再印刷を行ったり、クライアント画面上で保存画像情報を表示したりする機能である。ただし、コピーサーバー上のデータ自体についてはクライアント側で見ることはできない。
【０００３】
デジタル複合機で印刷および蓄積の指示あるいは蓄積のみの指示がなされた場合に、デジタル複合機は、コピーサーバーとして動作し、スキャナで読み込んだ原稿画像をコピー紙に印刷すると同時に、複合機内部の蓄積部（例えば、ハードデスク）に画像データを複写時の設定情報などと共に蓄積する処理を行う。
【０００４】
【特許文献１】特開２００２−１６９６７８号公報
【発明の開示】
【発明が解決しようとする課題】
【０００５】
従来のコピーサーバー機能には次のような課題がある。先ず、コピーサーバー内部に蓄積されている画像データをクライアント側で表示する場合に、コピーの解像度が比較的高解像度であるために、当該解像度で蓄積されている画像データをそのままクライアント側に転送すると、データ量が大きいため転送時間が増大する。また、クライアント側ではディスプレイの解像度に合わせて表示する必要があったり、画像を縮小して一括して閲覧するサムネイル表示を行う場合もあり、この場合、蓄積している画像データに対して縮小処理を実施する必要があるため、当該処理を行う分だけスキャン画像を表示するまでのスループットが低下してしまう。
【０００６】
さらに、一般的にコピー機能を実現する際に、スキャナからの画像読み込み時には操作パネルで設定されている印刷装置に適した画像処理(濃度、シャープネス、カラーバランス、下地除去等の調整処理)を行って印刷処理を実施する。この場合の画像処理は印刷装置に適する処理であり、画像処理済みの画像データを表示装置で見た場合に、印刷物と色味の違いや画質が違ってくる。また、画像処理済みの画像データをクライアント側で持っている場合、表示される画像データの画像処理パラメータを変更して、表示画面上で画質調整することができない。
【課題を解決するための手段】
【０００７】
上記課題を解決するために、本発明では、原稿画像を読み取って入力する画像入力部および当該画像入力部で読み取った前記原稿画像を印刷出力する画像出力部を有し、前記画像入力部から入力される第１の画像データと当該第１の画像データを縮小処理して得た第２の画像データと画像処理パラメータと画像管理情報とを関連付けて保存し、前記原稿画像を再印刷することが可能な画像入出力装置と、前記画像入出力装置とネットワークを介して接続された端末装置とを備えた画像処理システムにおいて、前記画像入出力装置から前記端末装置へ、前記第２の画像データ、前記画像処理パラメータおよび前記画像管理情報を送信するようにする。
【０００８】
画像入出力装置は、原稿から読み取った画像を再印刷することが可能なコピーサーバー機能を持っている。そして、端末装置から画像入力指示があると、画像入出力装置は、画像入力部から入力された第１の画像データではなく、当該第１の画像データを縮小処理して得た第２の画像データを画像処理パラメータおよび画像管理情報と共に端末装置に転送する。端末装置側では、画像入出力装置から入力される第２の画像データ、画像処理パラメータおよび画像管理情報を関連付けて管理し、第２の画像データに対して画像処理パラメータに基づく画像処理を行う。
【発明の効果】
【０００９】
本発明によれば、原稿から読み取ったオリジナル画像データそのものではなく、当該オリジナル画像データを縮小処理した画像データを画像入出力装置から端末装置へ転送することにより、オリジナル画像データを転送する場合に比べてデータ量を非常に少なくできるため転送時間を大幅に短縮でき、しかも端末装置側で縮小処理を行う必要がないため、トータルの処理時間（スループット）を向上できる。
【発明を実施するための最良の形態】
【００１０】
以下、本発明の実施の形態について図面を参照して詳細に説明する。
【００１１】
図１は、本発明の一実施形態に係る画像処理システムの全体の構成を示すブロック図である。図１において、画像入出力装置１１と端末装置１２とがネットワーク１３を介して接続されて画像処理システムを構築している。画像入出力装置１１は、原稿画像を読み取って得た画像データを入力する画像入力部と、当該画像入力部から入力される画像データに対して種々の画像処理を施す画像処理部と、当該画像処理部で処理された画像データをコピー紙に印刷出力する画像出力部とを有する例えばデジタル複合機である。端末装置１２は、キーボード（操作パネル）およびディスプレイを有する例えばパーソナルコンピュータ（ＰＣ）である。
【００１２】
図２は、画像入出力装置１１の構成の一例を示すブロック図である。図２に示すように、本例に係る画像入出力装置１１は、画像入力部２１、ユーザーインタフェース２２、画像処理部２３および画像出力部２４を備えた構成となっている。
【００１３】
画像入力部２１は、例えばＣＣＤ(Charge Coupled Device)イメージセンサ等からなるスキャナであり、原稿画像を読み取ることによって得られるＲ（赤）Ｇ（緑）Ｂ（青）の画像データを画像処理部２３に入力する。ユーザーインタフェース１２は、例えば画像入出力装置１１の装置本体に一体的に設けられた操作パネルである。このユーザーインタフェース１２では、１枚の複写用紙に複数の原稿画像を縮小して並べて複写する２ｉｎ１等のＮアップ機能、拡大・縮小機能等の画像処理や、原稿モードや、濃度、色味、シャープネス等の画像調整のための画像処理パラメータの設定がユーザーによって行われる。
【００１４】
画像処理部２３は、ＣＰＵ２３１、ＲＯＭ２３２、ＲＡＭ２３３、画像処理制御部２３４、メモリ２３５、画像拡大・縮小部２３６および拡大・縮小以外の他の画像処理部２３７等によって構成されている。他の画像処理部２３７としては、例えば、濃度変換を行う濃度変換部、絵や文字を画質調整するフィルタ部、色空間変換部等が挙げられる。ここでは、図面の簡略化のために、これら画像処理の部分を他の画像処理部２３７として示している。ＣＰＵ２３１、ＲＯＭ２３２、ＲＡＭ２３３および画像処理制御部２３４は、バスライン２３８を介して相互に接続されている。
【００１５】
ＣＰＵ２３１は、本画像処理部２３全体の制御を行う。ＲＯＭ２３２には、ジョブの実行管理や周辺装置の管理などを行うプログラムが格納されている。ＲＡＭ２３３には、ＣＰＵ２３１による各種の処理の実行時に一時的に情報が書き込まれる。画像処理制御部２３４、画像拡大・縮小部２３６および他の画像処理部２３７は、画像入力部２１から入力される画像データに対して、ユーザーインタフェース２２で設定された画像処理パラメータの設定値を基に、色空間の変換、濃度、シャープネスあるいは色味等の画像処理を行って出力する。
【００１６】
画像処理制御部２３４は、ＣＰＵ２３１による制御の下に、画像入力部２１から入力される画像データの色空間を、画像入力部２１の特性に依存する（デバイス依存）ＲＧＢの色空間から、画像入力部２１の特性に依存しない（デバイス非依存）中間フォーマット、例えばＬ* ａ* ｂ* の均等色空間に変換する制御、画像データをメモリ２３５に保存（格納）する制御、さらには画像拡大・縮小部２３６や他の画像処理部２３７での所定の画像処理の制御などを行う。
【００１７】
画像処理制御部２３４は、画像データをメモリ２３５に保存する際には、Ｌ* ａ* ｂ* のオリジナル画像データ（第１の画像データ）と、このオリジナル画像データを縮小処理して得た画像データ（以下、縮小画像データと記す）と、ユーザーインタフェース２２で設定された画像処理・画像調整のための画像処理パラメータと、画像管理情報であるファイル管理情報とを関連付けて保存する。ここで、オリジナル画像データは、ユーザーインタフェース１２で設定された画像処理パラメータに基づく画像処理が施されない、より原稿画像に近い状態で保存される画像データである。また、縮小画像データは、当然のことながら、オリジナル画像データよりも低い解像度の画像データである。
【００１８】
画像出力部２４は、通常の複写時には、画像入力部２１から入力された画像データであって、ユーザーインタフェース２２で設定された画像処理パラメータの設定値に基づく画像処理が施された画像データをコピー紙に印刷して出力する。また、コピーサーバー機能時には、メモリ２３５から読み出された画像データであって、当該画像データに対応付けられてメモリ２３５に保存されている画像処理パラメータの設定値に基づく画像処理が施された画像データをコピー紙に再印刷して出力する画像形成装置である。
【００１９】
上記構成の画像入出力装置１１は、原稿から読み取った画像を、複写すると同時にそのオリジナル画像データを、複写時の画像処理パラメータやファイル管理情報などと共にメモリ２３５に保存しておくことで、後に元原稿なしでも再印刷が可能なコピーサーバー機能を持っている。そして、端末装置１２から画像入力指示があると、画像入出力装置１１は、画像入力部２１から入力されたオリジナル画像データではなく、当該オリジナル画像データを縮小処理して得た縮小画像データを画像処理パラメータおよび画像管理情報と共に端末装置１２に転送する。このとき、オリジナル画像データについてはメモリ２３５に保存しておく。
【００２０】
また、画像入力部２１から入力される画像データが、複数ページで構成される文書に関する画像データの場合には、全ページについての縮小画像データを端末装置１２に転送するのではなく、その一部の画像データ、例えば１ページ目（トップページ）の画像データのみを転送するようにする。
【００２１】
図３は、端末装置１２の構成の一例を示す機能ブロック図である。図３に示すように、本例に係る端末装置１２は、入力設定部３１と、処理制御部３２と、ディスプレイ３３とを備え、画像入出力装置１１からネットワーク１３を介して入力される画像データを記憶し、またこの記憶した画像データを画像入出力装置１１に対してネットワーク１３を介して送信することが可能な構成となっている。
【００２２】
入力設定部３１は、キーボードやマウスなどからなり、画像入出力装置１１からネットワーク１３を介して入力される画像データについての画像処理パラメータの設定値を変更する変更手段としての機能を持っている。入力設定部３１での画像処理パラメータの設定変更はユーザーによって行われる。処理制御部３２は、ＣＰＵ３２１、ＲＯＭ３２２、ＲＡＭ３２３、画像処理部３２４、メモリ３２５等を備え、これら構成要素がバスライン３２６を介して相互に接続された構成となっている。
【００２３】
ＣＰＵ３２１は、本処理制御部３２全体の制御を行う。ＲＯＭ３２２には、ジョブの実行管理や周辺装置の管理などを行うプログラムが格納されている。ＲＡＭ３２３には、ＣＰＵ３２１による各種の処理の実行時に一時的に情報が書き込まれる。画像処理部３２４は、画像入出力装置１１から転送される縮小画像データに対して、同じく画像入出力装置１１から転送される画像処理パラメータの設定値を基に、色空間の変換、濃度、シャープネスあるいは色味等の画像処理を行う。
【００２４】
メモリ３２５には、ＣＰＵ３２１による制御の下に、画像入出力装置１１から転送される縮小画像データ、画像処理パラメータおよびファイル管理情報が関連付けられて格納される。すなわち、ＣＰＵ３２１とメモリ３２５とは、画像入出力装置１１から転送される縮小画像データ、画像処理パラメータおよびファイル管理情報を関連付けて管理する管理手段を構成している。ディスプレイ３３は、ＣＰＵ３２１による制御の下に、画像処理部３２４によって画像処理された縮小画像データとメモリ３２５に保存されているファイル管理情報の少なくとも一方を一覧表示する。すなわち、ＣＰＵ３２１とディスプレイ３３とは、画像処理後の縮小画像データとファイル管理情報の少なくとも一方を一覧表示する表示手段を構成している。
【００２５】
上記構成の端末装置１２において、当該端末装置１２側からの画像入力指示に対して、画像入出力装置１１から縮小画像データ、画像処理パラメータおよびファイル管理情報が送信されると、ＣＰＵ３２１は、縮小画像データ、画像処理パラメータおよびファイル管理情報を関連付けてメモリ３２５に格納する。この状態において、ユーザーは、入力設定部３１から縮小画像データの一覧表示（サムネイル表示）およびファイル管理情報の一覧表示のうち少なくとも一方を指定することになる。
【００２６】
縮小画像データの一覧表示が指定されると、ＣＰＵ３２１の制御の下に、画像処理部３２４は、メモリ３２５に格納されている縮小画像データに対して当該縮小画像データに関連付けられた画像処理パラメータの設定値に基づく画像処理を行ってディスプレイ３３に出力する。その結果、ディスプレイ３３の画面上には、メモリ３２５に格納されている縮小画像データに基づく、画像処理パラメータに応じた画像処理後のサムネイル画像が一覧表示される。
【００２７】
また、ファイル管理情報の一覧表示が指定されると、画像処理部３２４は、ＣＰＵ３２１の制御の下に、メモリ３２５に格納されているファイル管理情報を読み出してディスプレイ３３に出力する。その結果、ディスプレイ３３の画面上には、メモリ３２５に格納されているファイル管理情報が一覧表示される。ファイル管理情報は、縮小画像データと関連付けられている。したがって、ユーザーはその関係を把握しておくことで、ファイル管理情報から所望の縮小画像データを特定することが可能である。
【００２８】
なお、縮小画像データの一覧表示とファイル管理情報の一覧表示を別々に指定せずに、同時に指定することにより、ディスプレイ３３の画面上に、画像処理後のサムネイル画像とファイル管理情報とを一緒に一覧表示することも可能である。また、ファイル管理情報のみを一覧表示した状態において、ユーザーが任意のファイル管理情報を、例えばマウスボタンをクリックすることによって選択したときに、当該ファイル管理情報に対応する縮小画像データに基づく画像処理後のサムネイル画像を表示するようにすることも可能である。
【００２９】
ディスプレイ３３の画面上にサムネイル画像が一覧表示された状態において、ユーザーは、サムネイル画像の画質を見て所望の画質が得られていない場合は、入力設定部３１にてそのサムネイル画像に対応する画像処理パラメータの設定値を変更することができる。画像処理パラメータの変更要求があると、ＣＰＵ３２１の制御の下に、メモリ３２５に格納されている画像処理パラメータの設定値が新たに設定された値に変更される。また、画像処理部３２４は、この変更された画像処理パラメータの設定値に基づく画像処理を、対応する縮小画像データに施してディスプレイ３３の画面上に再表示させる。図４に、画質調整前のサムネイル画像の一覧表示例（Ａ）と画質調整後のサムネイル画像の一覧表示例（Ｂ）をそれぞれ示す。
【００３０】
所望の画質のサムネイル画像が得られたのであれば、ユーザーは、コピーサーバー機能を持つ画像入出力装置１１に対して入力設定部３１から再印刷を要求することになる。この再印刷要求時、端末装置１２は、画像処理パラメータの設定変更があった場合はこの変更された画像処理パラメータをファイル管理情報と共に画像入出力装置１１に送信する。このとき、縮小画像データについては画像入出力装置１１に転送しない。
【００３１】
画像入出力装置１１においては、ＣＰＵ２３１による制御の下に、画像処理制御部２３４が端末装置１２から送信されたファイル管理情報に対応するオリジナル画像データをメモリ２３５から読み出し、当該オリジナル画像データに対して端末装置１２から送信された変更後の画像処理パラメータの設定値に基づく画像処理を行って画像出力部２４に供給する。その結果、画像出力部２４からは、保存しておいたオリジナル画像データに基づく画像が、ユーザーが端末装置１２において設定した所望の画質でコピー紙に再印刷されて出力される。
【００３２】
なお、端末装置１２から送信された変更後の画像処理パラメータについては、そのまま破棄しても良いし、またメモリ２３５に保存されている画像処理パラメータを変更後の画像処理パラメータに修正（変更）するようにしても良い。すなわち、メモリ２３５に保存されている画像処理パラメータを、変更後の画像処理パラメータに修正する／修正しないの選択は自由である。
【００３３】
上述したように、コピーサーバー機能を持つ画像入出力装置１１と、当該画像入出力装置１１に対してネットワーク１３を介して接続された端末装置１２とを有する画像処理システムにおいて、画像入出力装置１１から端末装置１２へ、原稿から読み取ったオリジナル画像データそのものではなく、当該オリジナル画像データを縮小処理した画像データを転送することにより、オリジナル画像データを転送する場合に比べてデータ量を非常に少なくできるため転送時間を大幅に短縮できる。しかも、端末装置１２側では、縮小処理を行う必要がないため、トータルの処理時間（スループット）を向上できる。
【００３４】
また、画像入力部２１から入力される画像データが、複数ページで構成される文書に関する画像データの場合は、全ページについての縮小画像データを端末装置１２に転送するのではなく、その一部（例えば、トップページ）の画像データのみを転送するようにすることにより、転送するデータ量をさらに少なくすることができるため、転送時間のさらなる短縮が可能になるとともに、端末装置１２のメモリ３２５の容量を最小限に抑えることができる。なお、トップページの画像を表示するだけで、文書の内容を十分に把握することは可能である。
【００３５】
また、画像入出力装置１１から端末装置１２へは、画像入力部２１や画像出力部２４の特性に依存しないデバイス非依存の縮小画像データ（例えば、Ｌ* ａ* ｂ* 画像データ）と画像処理パラメータの両方を転送するようにすることにより、端末装置１２側でディスプレイ３３の特性に応じた色変換や必要な画像処理を縮小画像データに対して行うことができるため、デバイスによって色味の違いが発生することがない。
【００３６】
さらに、端末装置１２側では、画像処理パラメータの設定値を変更可能であることにより、ディスプレイ３３の画面上に表示したサムネイル画像の画質、即ち仕上がり形態を目視しながら画像処理パラメータの設定値を変更できる、具体的には白黒印刷、２色印刷、カラーバランス、濃度調整などの画像処理パラメータの設定値を変更して画面上で印刷される状態を確認することができるため、所望の仕上がり形態の画像を再印刷することができる。このとき、端末装置１２に転送されている縮小画像データは、画像入出力装置１１側で画像処理が行われる前の画像データであるため、変更した画像処理パラメータの設定値をそのまま画質に反映できることになる。
【００３７】
一方、再印刷要求時には、端末装置１２から画像入出力装置１１へは、変更された画像処理パラメータおよびファイル管理情報のみを送信し、縮小画像データについては転送しないようにしていることにより、ネットワーク１３上には縮小画像データが端末装置１２側へ転送するときの１回しか流れないことになるため、転送時間の大幅な短縮が可能になる。しかも、再印刷時には、メモリ２３５に保存されている原稿画像により近い状態のオリジナル画像データを用いて、当該オリジナル画像データに対して画像処理を施すことになるため、再印刷時の画質劣化が生じることがない。
【００３８】
なお、上記実施形態では、端末装置１２内の処理制御部３２をハードウェアで構成した場合を例に挙げて説明したが、ハードウェアの構成に限られるものではなく、同一機能を有するソフトウェアを実装して同じ機能を実現する構成を採ることも可能である。
【図面の簡単な説明】
【００３９】
【図１】本発明の一実施形態に係る画像処理システムの全体の構成を示すブロック図である。
【図２】画像入出力装置の構成の一例を示すブロック図である。
【図３】端末装置の構成の一例を示すブロック図である。
【図４】画質調整前のサムネイル画像の一覧表示例（Ａ）と画質調整後のサムネイル画像の一覧表示例（Ｂ）をそれぞれ示す図である。
【符号の説明】
【００４０】
１１…画像入出力装置、１２…端末装置、１３…ネットワーク、２１…画像入力部、２２…ユーザーインタフェース、２３…画像処理部、２４…画像出力部、３１…入力設定部、３２…処理制御部、３３…ディスプレイ
【図１】
2005086602.tif 000003
【図２】
2005086602.tif 000004
【図３】
2005086602.tif 000005
【図４】
2005086602.tif 000006